(57)【要約】【課題】鼻腔内で時計回り又は反時計回りのいずれの方向に回転させたとしても、鼻毛を簡単に処理できる鼻毛処理器を提供する。【解決手段】柄部と刃部１３０とを備える鼻毛処理器であって、刃部１３０は、第１の刃物１３１と、第１の刃物１３１を保持する保持部１３３，１３４と、を有し、第１の刃物１３１は、柄部の軸線を含む平面ＰＬに関して対称となるように、２つ設けられている。また、柄部と刃部とを備える鼻毛処理器であって、刃部は、第１の刃物と、第１の刃物を保持する保持部と、を有し、第１の刃物は、柄部の軸線を含む平面に関して対称となるように、２つの刃先が形成されている。【選択図】図３
2018057561.tif 000002
【特許請求の範囲】
【請求項１】
柄部と刃部とを備える鼻毛処理器であって、
前記刃部は、第１の刃物と、前記第１の刃物を保持する保持部と、を有し、
前記第１の刃物は、前記柄部の軸線を含む平面に関して対称となるように、２つ設けられる
ことを特徴とする鼻毛処理器。
【請求項２】
２つの前記第１の刃物は、刃先がそれぞれ同方向を向く
ことを特徴とする請求項１に記載の鼻毛処理器。
【請求項３】
柄部と刃部とを備える鼻毛処理器であって、
前記刃部は、第１の刃物と、前記第１の刃物を保持する保持部と、を有し、
前記第１の刃物は、前記柄部の軸線を含む平面に関して対称となるように、２つの刃先が形成される
ことを特徴とする鼻毛処理器。
【請求項４】
柄部と刃部とを備える鼻毛処理器であって、
前記刃部は、第１の刃物と、前記第１の刃物を保持する保持部と、を有するとともに、前記柄部の軸線と直交する軸に対して枢動可能に前記柄部に取付けられる
ことを特徴とする鼻毛処理器。
【請求項５】
枢動する前記刃部は、係止具により前記柄部に対して所定角度に係止される
ことを特徴とする請求項４に記載の鼻毛処理器。
【請求項６】
前記刃部は、前記第１の刃物の刃物面と平行な刃物面を有する第２の刃物を少なくとも有する二枚刃以上である
ことを特徴とする請求項１から５までのいずれか１項に記載の鼻毛処理器。
【請求項７】
前記保持部は、前記第１の刃物の刃物面の両側に保護ガイドが形成される
ことを特徴とする請求項１から６までのいずれか１項に記載の鼻毛処理器。
【発明の詳細な説明】
【技術分野】
【０００１】
本発明は、鼻毛処理器に関する。
【背景技術】
【０００２】
従来、伸びた鼻毛を切断したり除去したりするものとして、鼻毛抜き、鼻毛用ハサミ、鼻毛用カミソリ及び回転式鼻毛切りなどが知られている（特許文献１及び２参照）。
【０００３】
上記のうち、鼻毛を２つの刃で挟んで切る、鼻毛切りハサミや回転式鼻毛切りは、鼻毛を挟んで切断するため、鼻腔（鼻の穴）内に鼻毛屑が残り、また、一方の刃の厚み分だけの長さの鼻毛が根元から切り残される。その後、鼻腔内に残された鼻毛屑は、使用者がティッシュで何度も鼻をかんだり、ほじったりして、取り除かれている。
【０００４】
特許文献１には、刃を安全ガイドの内側に埋め込むとともに、刃と安全ガイドとの間に間隙を設けた鼻毛用カミソリが記載されており、段落０００９には、剃った鼻毛が間隙から刃の裏側に取り込まれると記載されている。
【０００５】
しかしながら、同じく特許文献１の段落００１１には、表面の刃に、鼻毛が当たるように回転させると記載されているから、刃は回転させる方向の前方に位置することになる。すると、刃で剃られた鼻毛が、後方に位置する間隙から刃の裏側に回り込むようなことは起きず、実際には剃られた鼻毛の多くは、鼻腔内に残っているといえる。
【先行技術文献】
【特許文献】
【０００６】
【特許文献１】特開２０００−０５１５４５号公報
【特許文献２】登録実用新案第３０９３５６２号公報
【発明の概要】
【発明が解決しようとする課題】
【０００７】
仮に、特許文献１に記載の鼻毛用カミソリを所定の一方向に回転させて、鼻毛を処理することができるとしても、所定の一方向とは反対の方向に回転させると、鼻毛を処理することができない。
【０００８】
そこで、本発明は、上記問題点に鑑みなされたものであり、鼻腔内で時計回り又は反時計回りのいずれの方向に回転させたとしても、鼻毛を簡単に処理できる鼻毛処理器を提供することを目的とする。
【課題を解決するための手段】
【０００９】
（１）本発明に係る１つの態様は、柄部と刃部とを備える鼻毛処理器であって、前記刃部は、第１の刃物と、前記第１の刃物を保持する保持部と、を有し、前記第１の刃物は、前記柄部の軸線を含む平面に関して対称となるように、２つ設けられるものである。
（２）上記（１）の態様において、２つの前記第１の刃物は、刃先がそれぞれ同方向を向いてもよい。
（３）本発明に係る別の１つの態様は、柄部と刃部とを備える鼻毛処理器であって、前記刃部は、第１の刃物と、前記第１の刃物を保持する保持部と、を有し、前記第１の刃物は、前記柄部の軸線を含む平面に関して対称となるように、２つの刃先が形成されるものである。
（４）本発明に係る更に別の１つの態様は、柄部と刃部とを備える鼻毛処理器であって、前記刃部は、第１の刃物と、前記第１の刃物を保持する保持部と、を有するとともに、前記柄部の軸線と直交する軸に対して枢動可能に前記柄部に取付けられるものである。
（５）上記（４）の態様において、枢動する前記刃部は、係止具により前記柄部に対して所定角度に係止されてもよい。
（６）上記（１）から（５）までのいずれか１つの態様において、前記刃部は、前記第１の刃物の刃物面と平行な刃物面を有する第２の刃物を少なくとも有する二枚刃以上であってもよい。
（７）上記（１）から（６）までのいずれか１つの態様において、前記保持部は、前記第１の刃物の刃物面の両側に保護ガイドが形成されてもよい。
【発明の効果】
【００１０】
本発明によれば、鼻腔内で時計回り又は反時計回りのいずれの方向に回転させたとしても、鼻毛を簡単に処理できる鼻毛処理器を提供することができる。
【図面の簡単な説明】
【００１１】
【図１】本発明の実施形態１に係る鼻毛処理器１００の使用状況を示す、（ａ）側断面図、（ｂ）下面図である。
【図２】本発明の実施形態１に係る鼻毛処理器１００を示す概略図である。
【図３】刃部１３０を図２のＢ−Ｂ線で切断した断面図である。
【図４】刃部１３０を構成する、（ａ）第１のホルダ１３３、（ｂ）第１の刃物１３１、（ｃ）中間ホルダ１３６、（ｄ）第１の刃物１３１、（ｅ）第２のホルダ１３４、を示す正面図及び側面図である。
【図５】第１のホルダ１３３を示す詳細説明図である。
【図６】第２のホルダ１３４を示す詳細説明図である。
【図７】刃部１３０の組立工程を示す説明図である。
【図８Ａ】図３の刃部１３０を更に拡大した拡大断面図である。
【図８Ｂ】第１の刃物１３１の固定状態を示す拡大断面図である。
【図９】本発明の実施形態２に係る鼻毛処理器２００を示す概略図である。
【図１０Ａ】刃部２３０を図９のＤ−Ｄ線で切断した断面図である。
【図１０Ｂ】刃部２３０と鼻腔の孔とを比較した概略図である。
【図１１】刃部２３０を構成する、（ａ）第１のホルダ２３３、（ｂ）第１の刃物２３１、（ｃ）第２のホルダ２３４、を示す正面図及び側面図である。
【図１２】実施形態１又は２の変形例（実施形態３）の使用状況を示す側面図である。
【図１３】変形例の穴部３４０を示す、（ａ）上面図、（ｂ）Ｅ−Ｅ線で切断した断面図、である。
【図１４】本発明の実施形態４に係る鼻毛処理器４００を示す概略図である。
【図１５】刃部４３０を図１４のＦ−Ｆ線で切断した断面図である。
【図１６】刃部４３０を構成する、（ａ）第１のホルダ４３３、（ｂ）第１の刃物１３１、（ｃ）第２のホルダ４３４、を示す正面図及び側面図である。
【図１７】鼻毛処理器４００の、（ａ）第１の状態、（ｂ）第２の状態、を示す概略図である。
【図１８】本発明の実施形態５に係る鼻毛処理器５００を示す概略図である。
【図１９】刃部５３０の可動範囲を示す説明図である。
【図２０】本発明の実施形態６に係る鼻毛処理器６００を示す概略図である。
【図２１】（ａ）鼻毛処理器１００の変形例を示す概略図である。（ｂ）鼻毛処理器２００の変形例を示す概略図である。
【図２２】鼻毛処理器４００又は鼻毛処理器５００の変形例を示す概略図である。
【図２３】鼻毛処理器６００の変形例を示す概略図である。
【発明を実施するための形態】
【００１２】
以下、本発明の実施形態について、図面を参照しながら詳細に説明する。なお、実施形態の説明の全体を通じて同じ要素には同じ符号を付して説明する。
【００１３】
本発明の実施形態１に係る鼻毛処理器１００について説明する。図１は、本発明の実施形態１に係る鼻毛処理器１００の使用状況を示す、（ａ）側面図、（ｂ）下面図であり、図２は、本発明の実施形態１に係る鼻毛処理器１００を示す概略図である。
【００１４】
図１（ａ）に示される鼻毛処理器１００は、使用者の鼻腔に挿入し、回転（鼻腔に沿って移動）させることで（図１（ｂ）参照）、鼻毛を処理するものである。鼻毛処理器１００は、図２に示されるように、柄部２と刃部１３０とを備える。
【００１５】
柄部２は、鼻毛処理器１００を鼻腔に挿入する際に、使用者の指で（摘み）持たれるものである（図１（ａ）参照）。柄部２は、棒状のものであり、プラスチック樹脂で形成されている。この柄部２には、後述する刃部１３０が、溶着や係合・嵌合により一体化され、軸線ＣＬの一端側に取付けられる。
【００１６】
柄部２は、断面視で３ｍｍ×５ｍｍ程度の矩形であるが、直径３ｍｍから６ｍｍ程度の円に内接する多角形であってもよく、同程度の楕円形であってもよい。柄部２の長さは、３０ｍｍから５０ｍｍ程度である。
【００１７】
つぎに、刃部１３０について説明する。図３は、刃部１３０を図２のＢ−Ｂ線で切断した断面図であり、図４は、刃部１３０を構成する、（ａ）第１のホルダ１３３、（ｂ）第１の刃物１３１、（ｃ）中間ホルダ１３６、（ｄ）第１の刃物１３１、（ｅ）第２のホルダ１３４、を示す正面図及び側面図である。また、図５は、第１のホルダ１３３を示す詳細説明図であり、図６は、第２のホルダ１３４を示す詳細説明図である。なお、図５及び図６において、４方向からの視点を理解し易くするため、側方に仮想線を描いている。また、図５（ｅ）は、図４（ａ）又は図５（ａ）のＣ−Ｃ線で切断した断面図である。
【００１８】
図３に示される刃部１３０は、２つの第１の刃物１３１を保持する保持部として機能する、第１のホルダ１３３、第２のホルダ１３４及び中間ホルダ１３６を有する。この刃部１３０は、後述する中間ホルダ１３６（あるいは、軸線ＣＬを含む平面ＰＬ）に関して対称となるように、２つの第１の刃物１３１がそれぞれ略平行に設けられる。具体的には、２つの第１の刃物１３１の刃先が、中間ホルダ１３６に関して対称かつ、刃先がそれぞれ略同方向を向くように設けられる。
【００１９】
第１の刃物１３１は、図４（ｂ），（ｄ）に示されるように、略矩形状の刃物面を有するものであり、ステンレス鋼又は特殊工具鋼で形成されており、刃先が研磨処理されている。第１の刃物１３１の厚みは、０．１ｍｍから０．３ｍｍ程度である。
【００２０】
そして、第１の刃物１３１は、幅が１０ｍｍから４０ｍｍ程度で、刃元から刃先までの長さが５ｍｍから６ｍｍ程度である。また、第１の刃物１３１には、後述する連結ピン１３４ｅが挿通される穴１３１ａが形成されている。
【００２１】
つづいて、第１の刃物１３１を保持する構成について説明する。
刃部１３０は、第１の刃物１３１を保持する保持部として機能する、第１のホルダ１３３及び第２のホルダ１３４を有する。第１のホルダ１３３及び第２のホルダ１３４は、プラスチック樹脂で形成されている。
【００２２】
第１のホルダ１３３は、図４（ａ）及び図５（ａ）−（ｅ）に示されるように、底板１３３ａと、この底板１３３ａに対向する天板１３３ｇと、底板１３３ａと天板１３３ｇとを連結する側壁１３３ｂとで形成されている。側壁１３３ｂは、保護ガイド１３３ｃが一方の端部に形成されている。
【００２３】
この側壁１３３ｂは、内側面に台座１３３ｄを有する（図５（ｂ）参照）。台座１３３ｄは、第１のホルダ１３３の内側面と第１の刃物１３１とを所定の間隔に設定するものである。さらに、この台座１３３ｄには、連結ピン１３４ｅが挿通される穴１３３ｅが形成されている。
【００２４】
また、この側壁１３３ｂは、穴１３３ｅよりも他方側に支持穴１３３ｆを有する。この支持穴１３３ｆには、後述する第２のホルダ１３４の係止爪１３４ｆが挿入される。
【００２５】
底板１３３ａ及び天板１３３ｇは、側壁１３３ｂに対向する側に、仮受台１３３ｈがそれぞれ突設されている。
【００２６】
第２のホルダ１３４は、図４（ｅ）及び図６（ａ）−（ｄ）に示されるように、断面視Ｌ字状の側壁１３４ｂで形成されている。一方の側壁１３４ｂは、保護ガイド１３４ｃが端部に形成されている。この一方の側壁１３４ｂは、仮受台１３３ｈが通過可能な切欠１３４ｈが形成されている。
【００２７】
この一方の側壁１３４ｂは、内側面に台座１３４ｄを有する。台座１３４ｄは、第２のホルダ１３４の内側面と第１の刃物１３１とを所定の間隔に設定するものである。さらに、この台座１３４ｄには、連結ピン１３４ｅが立設されている。
【００２８】
また、他方の側壁１３４ｂは、係止爪１３４ｆが端部に形成されている。
【００２９】
中間ホルダ１３６は、図４（ｃ）に示されるように、略板状に形成されている。中間ホルダ１３６は、保護ガイド１３６ｃが端部に形成されている。中間ホルダ１３６は、両側の主面にそれぞれ台座１３６ｄを有する。台座１３６ｄは、中間ホルダ１３６とその両側に設けられる第１の刃物１３１を所定の間隔に設定するものである。さらに、この台座１３６ｄには、連結ピン１３４ｅと対向する位置に、連結ピン１３４ｅが挿通される穴１３６ｅが形成されている。
【００３０】
刃部１３０の組立方法について説明する。図７は、刃部１３０の組立工程を示す説明図である。
まず、連結ピン１３４ｅと略同形状の仮固定用の連結ピン１４０を、第１の刃物１３１の穴１３１ａ、中間ホルダ１３６の穴１３６ａ、第１の刃物１３１の穴１３１ａに、この順で挿通し、仮組立体とする（図７（ａ）参照）。
【００３１】
つぎに、この仮組立体を、側壁１３３ｂと略平行な方向から第１のホルダ１３３に装填する（図７（ｂ）参照）。このとき、仮組立体を案内する装填用ガイドを、側壁１３３ｂの付近に設けるとよい。ついで、仮固定用の連結ピン１４０を引き抜く。
【００３２】
そして、第２のホルダ１３４を、側壁１３３ｂの内面に対向する側から、第１のホルダ１３３に装着する（図７（ｃ）参照）。第２のホルダ１３４の装着が完了すると、第１のホルダ１３３の支持穴１３３ｆに第２のホルダ１３４の係止爪１３４ｆが嵌入され、また、第１のホルダ１３３の穴１３３ｅから第２のホルダ１３４の連結ピン１３４ｅが突出する状態となる。
【００３３】
最後に、連結ピン１３４ｅの突出した先端を加熱変形させ、第１のホルダ１３３と第２のホルダ１３４とを固着する（図７（ｄ）参照）。
【００３４】
このようにして、刃部１３０は、第１のホルダ１３３、第１の刃物１３１、中間ホルダ１３６、第１の刃物１３１、第２のホルダ１３４の順に組み立てられる（図４参照）。つまり、刃部１３０は、２つの第１の刃物１３１を有し、軸線ＣＬを含む平面ＰＬ（あるいは、中間ホルダ１３６）に関して対称となるように、刃先がそれぞれ同方向を向くように設けられる。なお、刃部１３０は、左右幅が８．０ｍｍ程度であり、高さが８．０ｍｍ程度であるから（図４参照）、成人の鼻腔に挿入可能な大きさとなっている。
【００３５】
このとき、平面ＰＬ（中間ホルダ１３６）の左側の第１の刃物１３１が、鼻毛処理器１００の刃部１３０側から見て反時計回り用となり、平面ＰＬ（中間ホルダ１３６）の右側の第１の刃物１３１が、時計回り用となる。そして、時計回り用の第１の刃物１３１と、反時計回り用の第１の刃物１３１とは、２つの刃先がそれぞれ略同方向を向くように設けられる。
【００３６】
ここで、第１の刃物１３１、第１のホルダ１３３及び中間ホルダ１３６の保護ガイド１３３ｃ，１３６ｃの位置関係について説明する。図８Ａは、図３の刃部１３０を更に拡大した拡大断面図であり、図８Ｂは、第１の刃物１３１の固定状態を示す拡大断面図である。なお、第２のホルダ１３４側は、対称であるから省略する。
【００３７】
刃部１３０は、第１の刃物１３１の刃物面（すくい面）に対して、所定の角度θ１で傾斜した基準線Ｌ上に、第１のホルダ１３３及び中間ホルダ１３６の保護ガイド１３３ｃ，１３６ｃが位置している。このように、保護ガイド１３３ｃ，１３６ｃと、第１の刃物１３１の刃先とが、基準線Ｌ上に位置することにより、第１の刃物１３１が、鼻腔内の粘膜に食い込むのを防止している。この角度θ１は、第１の刃物１３１の厚み、台座１３３ｄ，１３６ｄの高さにもよるが、通常５°から５５°の範囲とされる。
【００３８】
刃部１３０は、角度θ１を小さくすることで、全体として厚み方向を薄くすることができ、逆に、角度θ１を大きくすることで、全体として長手方向を小さくすることができる。
【００３９】
ただし、第１の刃物１３１の刃先は、基準線Ｌと平行に１．０ｍｍ程度基準線Ｌから突出されてもよい。この状態であれば、鼻毛の深剃りを優先することができる。逆に、第１の刃物１３１の刃先は、基準線Ｌと平行に１．０ｍｍ程度基準線Ｌから引き込ませてもよい。この状態であれば、鼻毛の処理具合よりも、粘膜の傷付き防止を優先することができる。
【００４０】
そして、第１の刃物１３１は、第１のホルダ１３３の台座１３３ｄと中間ホルダ１３６の台座１３６ｄとの間で、連結ピン１３４ｅによって固定されており、また、台座１３３ｄと、台座１３６ｄと、第１のホルダ１３３の段部とによって、第１の刃物１３１の刃先が位置決めされている。
【００４１】
以上のとおり、本発明の実施形態１に係る鼻毛処理器１００は、柄部２と刃部１３０とを備えるものであって、刃部１３０は、第１の刃物１３１と、第１の刃物１３１を保持する保持部としての第１のホルダ１３３、第２のホルダ１３４及び中間ホルダ１３６と、を有し、第１の刃物１３１は、柄部２の軸線ＣＬを含む平面ＰＬに関して対称となるように、２つ設けられる。
【００４２】
これにより、鼻毛処理器１００を鼻腔に挿入し、第１の刃物１３１を鼻毛の生えた粘膜に当てながら、鼻腔に沿わせて移動させるだけで、すなわち、鼻腔内で回転させるだけで、鼻毛を根元から簡単に処理する（剃る）ことができる。また、鼻毛処理器１００を鼻腔に挿入し回転させるため、鼻毛の位置を確認する必要がなく、剃り残しもほぼない。
【００４３】
さらに、鼻毛処理器１００は、２つの第１の刃物１３１は、刃先がそれぞれ略同方向を向いているため、時計回り又は反時計回りのいずれの方向に回転させても、鼻毛の処理を良好に行うことができる。
【００４４】
また、第１の刃物１３１の両外側に保護ガイド１３３ｃ又は保護ガイド１３４ｃと、保護ガイド１３６ｃとが形成されているため、第１の刃物１３１を粘膜に押し当てても、食い込むことがないから、粘膜を傷つけることがないし、痛みが与えられることもない。また、鼻毛を抜かないため、毛穴に菌が侵入することもない。なお、これらの保護ガイド１３３ｃ，１３４ｃ，１３６ｃは、回転方向の前方側及び後方側に設けられているが、回転方向の前方側のみで保護ガイドとしての機能を奏する場合、前方側のみであってもよい。
【００４５】
さらに、剃られた鼻毛は、第１の刃物１３１と保持部である、第１のホルダ１３３又は第２のホルダ１３４と、中間ホルダ１３６との間に取り込まれるため、剃られた鼻毛屑が鼻腔内に残ることが少ない。また、鼻毛を挟んで切断しないため、鼻毛の根元付近が残ることがなく、鼻毛屑が残ったとしてもこれらに絡まることもない。そのため、鼻腔内に残された鼻毛屑があったとしても、ティッシュで２，３回鼻をかんだり、ほじったりすることで、取り除くことができる。くわえて、柄部２を備えるため、親指と人差し指（更に中指）などで摘んで指で操作し易くなっている。
【００４６】
つづいて、実施形態２の鼻毛処理器２００について説明する。図９は、本発明の実施形態２に係る鼻毛処理器２００を示す概略図である。
【００４７】
刃部２３０について説明する。図１０Ａは、刃部２３０を図９のＤ−Ｄ線で切断した断面図であり、図１０Ｂは、刃部２３０と鼻腔の孔とを比較した概略図である。図１１は、刃部２３０を構成する、（ａ）第１のホルダ２３３、（ｂ）第１の刃物２３１、（ｅ）第２のホルダ２３４、を示す正面図及び側面図である。なお、図１０Ｂにおいて、一点鎖線で示されるものは、刃部２３０を２枚刃にした場合のものである。
【００４８】
図１０Ａに示される刃部２３０は、第１の刃物２３１を保持する保持部として機能する、第１のホルダ２３３及び第２のホルダ２３４を有する。また、この刃部２３０は、第１の刃物１３１を仮想的に２つ有するものである。
【００４９】
第１の刃物２３１は、図１１（ｂ）に示されるように、略矩形状の刃物面を有するものであり、両端が刃先となっている。つまり、第１の刃物２３１は、片刃の第１の刃物１３１が２つ、刃元側で接続されて、１つになったものに相当する。第１の刃物２３１には、後述する連結ピン２３３ｅが挿通される穴２３１ａが形成されている。
【００５０】
第１のホルダ２３３は、図１１（ａ）に示されるように、底板２３３ａと、この底板２３３ａに立設された側壁２３３ｂとで形成されている。側壁２３３ｂは、保護ガイド２３３ｃが両端部に形成されている。
【００５１】
側壁２３３ｂは、内側面に台座２３３ｄを有する。台座２３３ｄは、第１のホルダ２３３の内側面と第１の刃物２３１とを所定の間隔に設定するものである。さらに、この台座２３３ｄには、連結ピン２３３ｅが立設されている。
【００５２】
第２のホルダ２３４は、図１１（ｃ）に示されるように、天板２３４ａと、この天板２３４ａに立設された側壁２３４ｂとで形成されている。側壁２３４ｂは、保護ガイド２３４ｃが両端部に形成されている。
【００５３】
側壁２３４ｂは、内側面に台座２３４ｄを有する。台座２３４ｄは、第２のホルダ２３４の内側面と第１の刃物２３１とを所定の間隔に設定するものである。さらに、この台座２３４ｄには、連結ピン２３３ｅと対向する側壁２３４ｂに、連結ピン２３３ｅが挿通される穴２３４ｅが形成されている。
【００５４】
以上の各構成により、刃部２３０は、第１のホルダ２３３、第１の刃物２３１、第２のホルダ２３４が、この順に組み立てられる（図１０Ａ参照）。
【００５５】
このとき、第１の刃物２３１の刃先のうち、平面ＰＬ（連結ピン２３３ｅ）の左側が、鼻毛処理器２００の刃部２３０側から見て時計回り用となり、平面ＰＬ（連結ピン２３３ｅ）の右側が、軸線ＣＬの刃部２３０側から見て反時計回り用となる。そして、時計回り用の刃先と、反時計回り用の刃先とは、それぞれ反対方向に向くように設けられる。
【００５６】
つまり、刃部２３０は、第１の刃物１３１を、仮想的に２つ有し、２つの刃物が軸線ＣＬを含む平面ＰＬ（２つの連結ピン２３３ｅの中心を通る平面）に関して対称に設けられ、刃先がそれぞれ反対方向に向くように設けられる。なお、刃部２３０は、左右幅が８．０ｍｍ程度であり、高さが５．０ｍｍ程度であるから（図１０Ａ参照）、成人の鼻腔に挿入可能な大きさとなっている（図１０Ｂ参照）。
【００５７】
なお、２つの刃先を有する態様は、実施形態２のような仮想的なものに限られない。例えば、第１のホルダ２３３の２つの連結ピン２３３ｅを共用したり、第１のホルダ２３３に四つの連結ピン２３３ｅを立設したりして、現実に第１の刃物１３１を２つ有するような態様でもよい。
【００５８】
ここで、実施形態１又は２の変形例の鼻毛処理器１００，２００について説明する。図１２は、実施形態１又は２の変形例の使用状況を示す側面図であり、図１３は、変形例の穴部３４０を示す、（ａ）上面図、（ｂ）Ｅ−Ｅ線で切断した断面図、である。
【００５９】
図１２に示される変形例の鼻毛処理器１００，２００は、刃部１３０，２３０の軸線ＣＬの方向の一端側の先端に、穴部３４０を有する。この穴部３４０は、鼻腔の奥側から外鼻孔に向かって生える鼻毛を切断するものである。
【００６０】
図１３（ａ）に示されるように、穴部３４０は、第１のホルダ１３３の天板１３３ｇ又は第２のホルダ２３４の天板２３４ａと断面形状が略同一の台形状で、略中央に引込み穴３４０ａが貫通して形成されている。この引込み穴３４０ａは、図１３（ｂ）に示されるように、一端側から他端（天板１３３ｇ，２３４ａ）側に向かって、徐々に狭くなっており、他端では、略Ｃ字状になっている。そして、引込み穴３４０ａの他端付近には、第３の刃物３４０ｂが設けられている。
【００６１】
第３の刃物３４０ｂの刃先は、台形の幅広側から幅狭側に向かい、かつ、天板１３３ｇ，２３４ａに傾斜して設けられている。
【００６２】
そして、穴部３４０は、第１のホルダ１３３の天板１３３ｇ又は第２のホルダ２３４の天板２３４ａに溶着や係合などにより一体化される。ただし、穴部３４０は、第１のホルダ１３３又は第２のホルダ２３４に一体成形されてもよく、この場合、天板１３３ｇ，２３４ａに引込み穴３４０ａが貫通して形成される。
【００６３】
よって、穴部３４０を有する鼻毛処理器１００，２００を、鼻腔に挿入すると、鼻腔の奥側から外鼻孔に向かって生える鼻毛は、引込み穴３４０ａに引込まれ、鼻毛処理器１００，２００の回転（移動）に伴って、第３の刃物３４０ｂで、切断される。本変形例によれば、鼻腔内の粘膜に略直立して生える鼻毛だけでなく、奥側から外鼻孔に向かって生える鼻毛も、簡単に処理することができる。
【００６４】
なお、上記実施形態１及び２では、柄部２及び刃部１３０，２３０は、別部材で形成され一体化されたが、柄部２は、刃部１３０，２３０の第１のホルダ１３３，２３３などとあらかじめ一体成形されてもよい。
【００６５】
実施形態４の鼻毛処理器４００について説明する。図１４は、本発明の実施形態４に係る鼻毛処理器４００を示す概略図であり、図１５は、刃部４３０を図１４のＦ−Ｆ線で切断した断面図である。
【００６６】
図１４に示される鼻毛処理器４００は、刃部４３０が、柄部４２０に対して枢動可能に取付けられる点で、実施形態１及び２のものと異なっている。
【００６７】
まず、柄部４２０について説明する。
柄部４２０は、本体が棒状のものであり、一端側の側面に軸線ＣＬと直交する枢動軸４２０ａが突設されている。また、柄部４２０は、後述する係止具４４０の脱落を防止する抜け止め４２０ｂが他端側に膨出されている。
【００６８】
つぎに、刃部４３０について説明する。図１６は、刃部４３０を構成する、（ａ）第１のホルダ４３３、（ｂ）第１の刃物１３１、（ｃ）第２のホルダ４３４、を示す正面図及び側面図である。
【００６９】
第１の刃物１３１の構成は、基本的に実施形態１と同様であるため、第１の刃物１３１についての説明は省略する（図１６（ｂ）参照）。
【００７０】
第１のホルダ４３３は、図１６（ａ）に示されるように、底板４３３ａと、この底板４３３ａに立設された断面視Ｌ字状の側壁４３３ｂとで形成されている。一方の側壁４３３ｂは、保護ガイド４３３ｃが側方の端部に形成されている。他方の側壁４３３ｂは、第２のホルダ４３４の被係合部４３４ｆが係合する係合部４３３ｆが形成されている。
【００７１】
一方の側壁４３３ｂは、内側面に台座４３３ｄを有する。台座４３３ｄは、第１のホルダ４３３の内側面と第１の刃物１３１とを所定の間隔に設定するものである。さらに、この台座４３３ｄには、連結ピン４３３ｅが立設されている。
【００７２】
さらに、この一方の側壁４３３ｂは、外側面に軸受４３３ｇを有する。軸受４３３ｇは、柄部４２０の枢動軸４２０ａを枢動可能に軸支する。なお、本実施形態４では、枢動軸４２０ａは、柄部４２０に設けられ、軸受４３３ｇは、刃部４３０に設けられるが、軸支の構成であるから、それぞれ入れ替えて反対側に設けてもよい。
【００７３】
第２のホルダ４３４は、図１６（ｃ）に示されるように、天板４３４ａと、この天板４３４ａに立設された断面視Ｌ字状の側壁４３４ｂとで形成されている。一方の側壁４３４ｂには、保護ガイド４３４ｃが端部に形成されている。他方の側壁４３４ｂには、第１のホルダ４３３の係合部４３３ｆに係合する被係合部４３４ｆが端部に形成されている。
【００７４】
一方の側壁４３４ｂは、内側面に台座４３４ｄを有する。台座４３４ｄは、第２のホルダ４３４の内側面と第１の刃物１３１とを所定の間隔に設定するものである。さらに、この台座４３４ｄには、連結ピン４３３ｅが挿通される穴４３４ｅが形成されている。
【００７５】
そして、係止具４４０は、柄部４２０に挿通されている。この係止具４４０は、円筒又は円錐筒状のものであり、弾性又は可撓性を有する材料で形成されている。弾性又は可撓性を有する材料としては、ゴムやシリコーンなどが挙げられる。
【００７６】
この係止具４４０は、刃部４３０のいずれか一方の端部を、筒状の内側に保持し、枢動軸４２０ａに対して枢動する刃部４３０を係止するものであるが、鼻腔の内周に沿って微小に枢動（揺動）するように、刃部４３０を枢動可能な状態のまま用いる場合は、係止具４４０は、用いられなくてもよい。すなわち、必要に応じて柄部４２０に取付ければよい。
【００７７】
刃部４３０を係止具４４０で係止する状態について説明する。図１７は、鼻毛処理器４００の、（ａ）第１の状態、（ｂ）第２の状態、を示す概略図である。
第１の刃物１３１の刃物面が、軸線ＣＬを含む平面と平行になるように、刃部４３０が柄部４２０に対して枢動されると、係止具４４０により、その位置で係止される。例えば、刃部４３０を時計回りに枢動して第１の状態に係止すると（図１７（ａ）参照）、第１の刃物１３１が左側となるため、反時計回り用とすることができ、反対に刃部４３０を時計回りに枢動して第２の状態に係止すると（図１７（ｂ）参照）、第１の刃物１３１が右側となるため、時計回り用とすることができる。なお、鼻毛処理器４００は、柄部４２０及び刃部４３０を含む総幅が８．０ｍｍ程度であり（図１７（ａ）参照）、枢動軸４２０ａに沿う方向の厚みが１０．０ｍｍ程度であるから、成人の鼻腔に挿入可能な大きさとなっており、枢動軸４２０ａも鼻腔に挿入することで、奥の方まで鼻毛の処理を行うことができる。
【００７８】
実施形態５の鼻毛処理器５００について説明する。図１８は、本発明の実施形態５に係る鼻毛処理器５００を示す概略図である。図１９は、刃部５３０の可動範囲を示す説明図である。
【００７９】
図１８に示される鼻毛処理器５００は、枢動軸５２０ａが、柄部５２０の一端側の端面に位置する点で、実施形態４のものと異なっている。
【００８０】
柄部５２０は、本体が棒状のものであり、軸線ＣＬと直交する枢動軸５２０ａを軸支する軸受５２０ｇが一端側の端面に設けられている。
【００８１】
刃部５３０は、軸線ＣＬと直交する枢動軸５２０ａを軸支する軸受５３３ｇが柄部５２０側の外面に設けられている。そして、枢動軸５２０ａは、これらの軸受５２０ｇ及び軸受５３３ｇに軸支され、柄部５２０と刃部５３０とを枢動可能に連結している。
【００８２】
刃部５３０の枢動する角度θ２は、枢動軸５２０ａから刃部５３０の底面までの距離を調節することで適宜変更可能であるが、柄部５２０の軸線ＣＬを中心として左右それぞれに９０°から１２０°の範囲、つまり、１８０°から２４０°の範囲で枢動すればよい。
【００８３】
このような鼻毛処理器５００であれば、枢動軸５２０ａに沿う方向の厚みを鼻毛処理器４００よりも薄くすることができるから、鼻腔に挿入可能な大きさにすることができる。
【００８４】
実施形態６の鼻毛処理器６００について説明する。図２０は、本発明の実施形態６に係る鼻毛処理器６００を示す概略図である。
図２０に示される鼻毛処理器６００は、実施形態５の刃部５３０を、実施形態２の刃部２３０に置換したものに相当する。
【００８５】
柄部６２０は、本体が棒状のものであり、軸線ＣＬと直交する枢動軸６２０ａを軸支する軸受６２０ｇが一端側の端面に設けられている。軸受６２０ｇの更に一端側には、刃部６３０の枢動を規制するストッパ６２０ｈが形成されている。
【００８６】
刃部６３０は、軸線ＣＬと直交する枢動軸６２０ａを軸支する軸受６３３ｇが柄部６２０側の外面に設けられている。そして、枢動軸６２０ａは、これらの軸受６２０ｇ及び軸受６３３ｇに軸支され、柄部６２０と刃部６３０とを枢動可能に連結している。
【００８７】
刃部６３０の枢動する角度θ３は、枢動軸６２０ａから刃部６３０の底面までの距離を調節することで適宜変更可能であるが、ストッパ６２０ｈと柄部６２０の本体で枢動が規制されるため、軸線ＣＬと平行な位置から、±１０°程度の範囲で枢動すればよい。
【００８８】
このような鼻毛処理器６００であれば、第１の刃物２３１の長さを１３ｍｍ程度に、刃部６３０の枢動軸６２０ａに沿う方向の厚みを７ｍｍ程度に、刃部６３０の高さを５ｍｍ程度に、刃部６３０の先端から柄部６２０の背面までの総幅を９ｍｍ程度にすることができるから、鼻腔に挿入可能な大きさにすることができる。
【００８９】
実施形態４及び５では、時計回り用又は反時計回り用とで、枢動させる方向が一義的に決まるため、枢動させる方向を間違えるとやり直す必要があったが、実施形態６の鼻毛処理器６００であれば、時計回り用又は反時計回り用の回転方向を気にすることなく、どちらかの一方向に枢動させることで、鼻毛を処理することができる。また、刃部６３０の枢動範囲が狭いため、鼻腔から鼻毛処理器６００を引抜く場合でも、引っ掛かるようなことが起こらない。
【００９０】
以上のとおり、本発明の実施形態１及び２に係る鼻毛処理器１００，２００では、刃部１３０，２３０は、２つの第１の刃物１３１又は２つの刃先が形成された第１の刃物２３１を有する。これにより、鼻毛処理器１００，２００は、時計回り又は反時計回りのいずれの方向に回転させても、鼻毛の処理を良好に行うことができる。
【００９１】
また、本発明の実施形態４から６に係る鼻毛処理器４００，５００，６００では、刃部４３０，５３０，６３０は、軸線ＣＬと直交する枢動軸４２０ａ，５３０ａ，６２０ａに対して枢動可能に柄部４２０，５２０，６２０に取付けられる。これにより、鼻毛処理器４００，５００は、時計回り又は反時計回りのいずれの方向に回転させる場合でも、鼻毛の処理を良好に行うことができる。
【００９２】
また、特許文献１に記載のものでは、時計回り又は反時計回りの１方向しか対応できないため、鼻毛処理器１を２つ準備する必要があったが、実施形態１から６では、鼻毛処理器１００，２００，４００，５００，６００を１つ準備するだけでよく、どちらの方向でも使用することができる。
【００９３】
さらに、鼻毛処理器４００は、係止具４４０を、更に備え、係止具４４０は、柄部４２０に対して枢動する刃部４３０を所定角度に係止する。これにより、刃部４３０が柄部４２０に対してガタつくことがなく、鼻毛処理器４００を容易に移動させることができる。
【００９４】
また、係止具４４０は、実施形態４のものに限られない。例えば、磁力により所定の位置に係止（固定）できるものであってもよく、枢動軸４２０ａと軸受４３３ｇとの間で、ノッチ及び突起により係止するものであってもよい。
【００９５】
最後に、他の変形形態について説明する。
上記実施形態１では、第１の刃物１３１の刃先は、柄部２の軸線ＣＬと平行に形成されていたが、側面視で軸線ＣＬと交差するように傾斜していてもよい。具体的には、図２１（ａ）に示すように、柄部２側から刃部１３０の先端に向かって第１の刃物１３１の刃先が後退するように傾斜していてもよい。このとき、柄部２側から刃部１３０の先端に向かって刃部１３０が小さくなるように傾斜して略三角形状となり、保護ガイド１３３ｃ、１３４ｃ、１３６ｃも同様に傾斜している。
【００９６】
上記実施形態１では、刃部１３０は、側面視で柄部２の軸線ＣＬと平行な矩形状に形成されていたが、側面視で刃部１３０の一端側が小さくなる略三角形状に形成してもよい。具体的には、図２１（ｂ）に示すように、柄部２側から刃部１３０の一端側（先端）に向かって刃部１３０が小さくなるように傾斜していてもよい。このとき、保護ガイド１３３ｃ、１３４ｃ、１３６ｃも同様に傾斜している。
【００９７】
上記実施形態２では、第１の刃物２３１の刃先は、柄部２の軸線ＣＬと平行に形成されていたが、正面視で軸線ＣＬと交差するように傾斜していてもよい。具体的には、図２１（ｃ）に示すように、柄部２側から刃部２３０の先端に向かって第１の刃物２３１の刃先同士が近づくように傾斜していてもよい。このとき、柄部２２０側から刃部２３０の一端側（先端）に向かって刃部２３０が小さくなるように傾斜して略三角形状となり、保護ガイド２３３ｃ、２３４ｃも同様に傾斜している。
【００９８】
上記実施形態４及び５では、第１の刃物１３１の刃先は、柄部４２０，５２０の軸線ＣＬと平行に形成されていたが、直線状でなく屈曲していてもよい。具体的には、図２２（ａ）に示すように、第１の刃物１３１の刃先が、「コ」字状に２段階に屈曲してもよいし、あるいは、図２２（ｂ）に示すように、「く」字状に屈曲してもよい。このとき、刃部４３０，５３０は、略台形状又はホームベース状となる。
【００９９】
上記実施形態４及び５では、刃部４３０，５３０は、側面視で柄部４２０，５２０の軸線ＣＬと平行な矩形状に形成されていたが、略台形状に形成してもよい。具体的には、図２２（ｃ）に示すように、刃部４３０，５３０が台形状に形成されてもよいし、あるいは、図２２（ｄ）に示すように、刃部４３０，５３０がホームベース状に形成されてもよい。
【０１００】
上記実施形態６では、刃部２３０は、側面視で略矩形状に形成されていたが、側面視で略三角形状に形成されてもよい。具体的には、図２３（ａ）に示すように、柄部６２０側から刃部６３０の一端側（先端）に向かって刃部６３０が小さくなるように刃先側が傾斜するか、図２３（ｂ）に示すように、柄部６２０側から刃部６３０の一端側（先端）に向かって刃部６３０が小さくなるように刃元側が傾斜して略三角形状に形成されるとよい。
【０１０１】
上述した変形例のように刃部１３０，２３０，４３０，５３０，６３０の一端側（先端側）の厚み（又は幅あるいは高さ）を、小さくすることにより、鼻腔の奥側の直径の狭い又は曲率半径の小さい領域にも、第１の刃物１３１，２３１を届かせることができ、剃り残しをなくすことができる。
【０１０２】
また、上記実施形態１から６では、刃部１３０，２３０，４３０，５３０，６３０は、第１の刃物１３１，２３１を有する一枚刃としたが、第２の刃物を有する、いわゆる二枚刃、三枚刃、四枚刃あるいは五枚刃以上であってもよく、その際、刃の枚数に合わせてスペーサを刃物間に挿入すればよい。これにより、鼻毛に対する刃部１３０，２３０，４３０，５３０，６３０の切れ味を向上させることができる。このとき、図８に示される基準線Ｌ上に、第２の刃物などの刃先が位置するように構成するとよい。
【０１０３】
また、上記実施形態１から６に記載した各構成や変形例の各構成は、複数組み合わせてもよい。
【０１０４】
以上、本発明の好ましい実施形態について詳述したが、本発明は上述した実施形態に限定されるものではなく、特許請求の範囲に記載された本発明の要旨の範囲内において、種々の変形、変更が可能である。
【符号の説明】
【０１０５】
１００  鼻毛処理器
２      柄部
１３０  刃部
１３１  第１の刃物、１３１ａ  穴
１３３  第１のホルダ（保持部）、１３３ａ  底板、１３３ｂ  側壁、１３３ｃ  保護ガイド、１３３ｄ  台座、１３３ｅ  穴、１３３ｆ  支持穴、１３３ｇ  天板、１３３ｈ  仮受台
１３４  第２のホルダ（保持部）、１３４ｂ  側壁、１３４ｃ  保護ガイド、１３４ｄ  台座、１３４ｅ  連結ピン、１３４ｆ  係止爪、１３４ｈ  切欠
１３６  中間ホルダ、１３６ｃ  保護ガイド、１３６ｄ  台座、１３６ｅ  穴
１４０  仮固定用の連結ピン
２００  鼻毛処理器
２３０  刃部
２３１  第１の刃物、２３１ａ  穴
２３３  第１のホルダ（保持部）、２３３ａ  底板、２３３ｂ  側壁、２３３ｃ  保護ガイド、２３３ｄ  台座、２３３ｅ  連結ピン
２３４  第２のホルダ（保持部）、２３４ａ  天板、２３４ｂ  側壁、２３４ｃ  保護ガイド、２３４ｄ  台座、２３４ｅ  穴
３４０  穴部、３４０ａ  引込み穴、３４０ｂ  第３の刃物
４００  鼻毛処理器
４２０  柄部、４２０ａ  枢動軸、４２０ｂ  抜け止め
４３０  刃部
４３３    第１のホルダ（保持部）、４３３ａ  底板、４３３ｂ  側壁、４３３ｃ  保護ガイド、４３３ｄ  台座、４３３ｅ  連結ピン、４３３ｆ  係合部、４３３ｇ  軸受
４３４    第２のホルダ（保持部）、４３４ａ  天板、４３４ｂ  側壁、４３４ｃ  保護ガイド、４３４ｄ  台座、４３４ｅ  穴、４３４ｆ  被係合部
４４０  係止具
５００  鼻毛処理器
５２０  柄部、５２０ａ  枢動軸、５２０ｇ  軸受
５３０  刃部、５３３ｇ  軸受
６００  鼻毛処理器
６２０  柄部、６２０ａ  枢動軸、６２０ｇ  軸受、６２０ｈ  ストッパ
６３０  刃部、６３３ｇ  軸受
ＣＬ    軸線
Ｌ      基準線
ＰＬ    平面
θ      角度
【図１】
2018057561.tif 000003
【図２】
2018057561.tif 000004
【図３】
2018057561.tif 000005
【図４】
2018057561.tif 000006
【図５】
2018057561.tif 000007
【図６】
2018057561.tif 000008
【図７】
2018057561.tif 000009
【図８Ａ】
2018057561.tif 000010
【図８Ｂ】
2018057561.tif 000011
【図９】
2018057561.tif 000012
【図１０Ａ】
2018057561.tif 000013
【図１０Ｂ】
2018057561.tif 000014
【図１１】
2018057561.tif 000015
【図１２】
2018057561.tif 000016
【図１３】
2018057561.tif 000017
【図１４】
2018057561.tif 000018
【図１５】
2018057561.tif 000019
【図１６】
2018057561.tif 000020
【図１７】
2018057561.tif 000021
【図１８】
2018057561.tif 000022
【図１９】
2018057561.tif 000023
【図２０】
2018057561.tif 000024
【図２１】
2018057561.tif 000025
【図２２】
2018057561.tif 000026
【図２３】
2018057561.tif 000027
【手続補正書】
【提出日】平成29年6月15日(2017.6.15)
【手続補正１】
【補正対象書類名】特許請求の範囲
【補正対象項目名】全文
【補正方法】変更
【補正の内容】
【特許請求の範囲】
【請求項１】
柄部と刃部とを備える鼻毛処理器であって、
前記刃部は、第１の刃物と、前記第１の刃物を保持する保持部と、を有し、
前記第１の刃物は、前記柄部の軸線を含む平面に関して対称かつ刃先がそれぞれ同方向を向くように、２つ設けられ、
前記保持部は、端部に保護ガイドが形成され、前記平面の一方面側に設けられる第１のホルダと、端部に保護ガイドが形成され、２つの前記第１の刃物の間に設けられる中間ホルダと、端部に保護ガイドが形成され、前記平面の他方面側に設けられる第２のホルダとを含み、
前記刃部は、前記軸線の方向からみて、前記中間ホルダの前記保護ガイド側が尖ったホームベース状になっている
ことを特徴とする鼻毛処理器。
【請求項２】
前記刃部は、前記第１のホルダの前記保護ガイドと、前記第１の刃物の前記刃先と、前記中間ホルダの前記保護ガイドと、が直線上に位置し、前記中間ホルダの前記保護ガイドと、前記第２の刃物の前記刃先と、前記第２のホルダの前記保護ガイドと、が別の直線上に位置している
ことを特徴とする請求項１に記載の鼻毛処理器。
【請求項３】
前記刃部は、前記柄部の軸線と直交する軸に対して枢動可能に前記柄部に取付けられる
ことを特徴とする請求項１又は２に記載の鼻毛処理器。
【請求項４】
枢動する前記刃部は、係止具により前記柄部に対して所定角度に係止される
ことを特徴とする請求項３に記載の鼻毛処理器。
【請求項５】
前記刃部は、前記第１の刃物の刃物面と平行な刃物面を有する第２の刃物を少なくとも有する二枚刃以上である
ことを特徴とする請求項１から４までのいずれか１項に記載の鼻毛処理器。
【手続補正書】
【提出日】平成29年8月29日(2017.8.29)
【手続補正１】
【補正対象書類名】特許請求の範囲
【補正対象項目名】全文
【補正方法】変更
【補正の内容】
【特許請求の範囲】
【請求項１】
柄部と刃部とを備える鼻毛処理器であって、
前記刃部は、第１の刃物と、前記第１の刃物を保持する保持部と、を有し、
前記第１の刃物は、前記柄部の軸線を含む平面に関して対称かつ刃先がそれぞれ同方向を向くように、平行に２つ設けられ、
前記保持部は、端部に保護ガイドが形成され、前記平面の一方面側に設けられる第１のホルダと、端部に保護ガイドが形成され、２つの前記第１の刃物の間に設けられる中間ホルダと、端部に保護ガイドが形成され、前記平面の他方面側に設けられる第２のホルダとを含み、
前記刃部は、前記軸線の方向からみて、前記中間ホルダの前記保護ガイド側が尖ったホームベース状になっている
ことを特徴とする鼻毛処理器。
【請求項２】
前記刃部は、前記第１のホルダの前記保護ガイドと、一方の前記第１の刃物の前記刃先と、前記中間ホルダの前記保護ガイドと、が直線上に位置し、前記中間ホルダの前記保護ガイドと、他方の前記第１の刃物の前記刃先と、第２のホルダの前記保護ガイドと、が別の直線上に位置している
ことを特徴とする請求項１に記載の鼻毛処理器。
【請求項３】
前記刃部は、前記柄部の軸線と直交する軸に対して枢動可能に前記柄部に取付けられる
ことを特徴とする請求項１又は２に記載の鼻毛処理器。
【請求項４】
枢動する前記刃部は、係止具により前記柄部に対して所定角度に係止される
ことを特徴とする請求項３に記載の鼻毛処理器。
【請求項５】
前記刃部は、２つの前記第１の刃物が、それぞれ一枚刃でなく、前記第１の刃物の刃物面と平行な刃物面を有する第２の刃物を少なくとも有する二枚刃以上でそれぞれ構成されている
ことを特徴とする請求項１から４までのいずれか１項に記載の鼻毛処理器。